(57)【要約】  移動モジュールが、１つ以上のセンサからセンサデータを受け取り、センサデータに基づいて、ユーザーデバイスの移動のタイプの移動を決定する。移動または移動の割合に基づいて、移動モジュールが、ユーザーデバイスを移動度状態に移行する。ユーザーデバイスは、移動度状態に基づいてオフセットがスケーリングされた１つ以上の計測パラメータを使用して、隣接基地局からの無線信号のパワーレベルを評価する。【選択図】図５
2016501500.tif 000002
【特許請求の範囲】
【請求項１】
モバイルコンピューティングデバイスによって、全地球測位システムデバイスから場所データを受け取ることと、
前記モバイルコンピューティングデバイスによって、前記場所データに少なくとも部分的に基づいて、移動データを計算することと、
前記モバイルコンピューティングデバイスによって、前記移動データに少なくとも部分的に基づいて、前記モバイルコンピューティングデバイスの移動の割合を決定することと、
前記移動の割合に少なくとも部分的に基づいて、前記モバイルコンピューティングデバイスの移動度状態を決定することと、
隣接基地局の第１の信号強度を、現在の基地局の第２の信号強度と比較して決定することと、
前記第１の信号強度がある期間にわたって前記第２の信号強度よりも大きいとき、前記隣接基地局に再選択し、前記ある期間が前記移動度状態に基づくことと、
を含む方法。
【請求項２】
前記モバイルコンピューティングデバイスが、前記モバイルコンピューティングデバイスによって行われる再選択の回数に関係なく、前記移動度状態を決定する、請求項１に記載の方法。
【請求項３】
前記隣接基地局の前記第１の信号強度を前記現在の基地局の前記第２の信号強度と比較して決定することが、
前記第１の信号強度に第１のスケーリング係数を適用し、前記第２の信号強度に第２のスケーリング係数を適用することを含み、前記第１のスケーリング係数および第２のスケーリング係数が前記移動度状態に少なくとも部分的に基づく、請求項１に記載の方法。
【請求項４】
前記移動度状態が前記モバイルコンピューティングデバイスの前記移動の割合を示し、前記移動度状態が再選択の回数に関連付けられる、請求項１に記載の方法。
【請求項５】
前記移動度状態が、
高位の移動度状態、
中位の移動度状態、または
通常の移動度状態、
のうちの１つを含む、請求項１に記載の方法。
【請求項６】
モバイルコンピューティングデバイスであって、
センサデータを集めるセンサデバイスと、
前記センサデバイスに結合されたプロセッサと、を備え、前記プロセッサが、
前記センサデバイスから前記センサデータを受け取り、
前記センサデータに少なくとも部分的に基づいて、前記モバイルコンピューティングデバイスの移動の割合を決定し、
前記移動の割合に基づいて、前記モバイルコンピューティングデバイスの移動度状態を決定する、
モバイルコンピューティングデバイス。
【請求項７】
前記プロセッサがさらに、
隣接基地局の第１の信号強度を、現在の基地局の第２の信号強度と比較して決定する、請求項６に記載のモバイルコンピューティングデバイス。
【請求項８】
前記プロセッサがさらに、
前記第１の信号強度がある期間にわたって前記第２の信号強度よりも大きいとき、前記隣接基地局に再選択し、前記ある期間が前記移動度状態に基づく、請求項７に記載のモバイルコンピューティングデバイス。
【請求項９】
前記プロセッサが、
前記第１の信号強度に第１のスケーリング係数を適用し、前記第２の信号強度に第２のスケーリング係数を適用し、前記第１のスケーリング係数および第２のスケーリング係数が移動度状態に少なくとも部分的に基づく、
ことによって、前記現在の基地局の前記第２の信号強度に対する前記隣接基地局の前記第１の信号強度を決定する、請求項７に記載のモバイルコンピューティングデバイス。
【請求項１０】
前記プロセッサが、
前記センサデータに基づいて、前記モバイルコンピューティングデバイスの物理的場所を決定することと、
前記モバイルコンピューティングデバイスの前記物理的場所に基づいて、前記移動の割合を決定することと、
によって前記モバイルコンピューティングデバイスの前記移動の割合を決定する、請求項６に記載のモバイルコンピューティングデバイス。
【請求項１１】
１つ以上のプロセッサと、命令を記憶する非一時的コンピュータ可読記憶媒体と、を備えるシステムであって、前記命令が、実行されると、前記１つ以上のプロセッサに、
センサデバイスから受け取るセンサデータに少なくとも部分的に基づいて、モバイルコンピューティングデバイスの移動の割合を決定することと、
前記移動の割合に基づいて、前記モバイルコンピューティングデバイスの移動度状態を決定することと、
隣接基地局の第１の信号強度を、現在の基地局の第２の信号強度と比較して決定することと、を含む操作を行わせる、システム。
【請求項１２】
前記操作がさらに、
前記第１の信号強度がある期間にわたって前記第２の信号強度より大きいとき、前記隣接基地局に再選択することを含み、前記ある期間が前記移動度状態に基づく、請求項１１に記載のシステム。
【請求項１３】
前記隣接基地局の前記第１の信号強度を前記現在の基地局の前記第２の信号強度と比較して決定することが、
前記第１の信号強度に第１のスケーリング係数を適用し、前記第２の信号強度に第２のスケーリング係数を適用して、前記第１のスケーリング係数および第２のスケーリング係数が前記移動度状態に少なくとも部分的に基づくこと、
を含む請求項１１に記載のシステム。
【請求項１４】
前記モバイルコンピューティングデバイスの前記移動の割合を決定することが、
前記センサデータに少なくとも部分的に基づいて移動データを計算することと、
前記移動データに少なくとも部分的に基づいて前記モバイルコンピューティングデバイスの前記移動の割合を決定することと、
を含む、請求項１１に記載のシステム。
【請求項１５】
前記移動の割合を決定することが、
前記センサデータに基づいて前記モバイルコンピューティングデバイスの物理的場所を決定することと、
前記モバイルコンピューティングデバイスの１つ以上の前記物理的場所に基づいて、前記移動の割合を決定することと、
を含む、請求項１１に記載のシステム。
【発明の詳細な説明】
【背景技術】
【０００１】
多数の、そして数が増加しているユーザーは、デジタル音楽（例えば、音楽トラック、曲、またはオーディオクリップ）、デジタルビデオ、デジタル画像、電子書籍（または本明細書では電子ブックと呼ばれる）、電子新聞、電子雑誌、および他の電子読み物などの電子メディアを含むメディアアイテムの消費を通じて娯楽を享受する。例えば、ユーザーは、スマートフォンを使用してデジタル音楽を聴く、タブレットコンピュータを使用してデジタルビデオを見る、またはタブレットコンピュータを使用して電子書籍を読むことができる。メディアアイテムは、ストリーミングメディアアイテム、またはローカルに記憶されたメディアアイテムであり得る。ストリーミングメディアアイテムは、事前にコンピューティングデバイスにローカルに記憶されているのではなく、別のコンピューティングデバイス（例えば、サーバー）から取得されると同時に、ユーザーに受け取られて提示されるコンテンツを含むことができる。ユーザーは、メディアアイテム全体を受け取る前に、ストリーミングメディアアイテムの消費を開始する（例えば、表示または再生を開始する）ことができる。ローカルに記憶されるコンテンツは、コンピューティングデバイスのローカルメモリ（例えば、ハードディスク）に記憶することができる。ユーザーは、様々な電子デバイスを用いてそのようなメディアアイテムを消費する。それらの電子デバイスの中でも、電子書籍リーダー、携帯電話、パーソナルデジタルアシスタント（ＰＤＡ）、スマートフォン、ポータブルメディアプレーヤー、タブレットコンピュータ、電子パッド、ネットブック、デスクトップコンピュータ、ノートブックコンピュータなどである。電子デバイスはまた、ユーザーデバイスまたはモバイルコンピューティングデバイスと呼ぶことができる。
【０００２】
これらの電子デバイス（例えば、ユーザーデバイス）は、しばしば無線通信ネットワークまたは他のネットワークを使用して、デジタルメディアアイテムをダウンロードまたはアップロードする。さらに、アプリケーション（例えば、ストリーミングビデオアプリケーション、オンラインバンキングアプリケーション、ソーシャルネットワークアプリケーション、ブラウザ、電子メールアプリケーション等）もまた、通信ネットワークを使用してデータを送受信することができる（例えば、無線通信ネットワークを使用して電子メールを受け取ることができる、またはストリーミングビデオを見ることができる）。無線通信ネットワークまたはシステムは、符号分割多重接続（ＣＤＭＡ）ネットワーク、高速パケットアクセスプラス（ＨＳＰＡ＋）、ロングタームエボリューション（ＬＴＥ）ネットワーク、マイクロウェーブアクセス用ワールドワイドインターオペラビリティ（ＷｉＭＡＸ）ネットワーク、移動通信用グローバルシステム（ＧＳＭ(登録商標)）ネットワークなどのセルラーネットワーク（例えば、無線広域ネットワーク）であり得る。無線通信ネットワークはまた、８０２．１１ｇネットワーク、８０２．１１ｎネットワーク等のようなＷｉＦｉネットワーク（例えば、無線ローカルエリアネットワーク）を含み得る。いくつかの無線通信ネットワークは、多入力多出力（ＭＩＭＯ）通信プロトコル（例えば、ＬＴＥネットワーク、ＬＴＥアドバンストネットワーク、ＷｉＭＡＸネットワーク、８０２．１１ｎネットワーク、８０２．１１ａｃネットワーク等）を使用することができる。
【０００３】
本開示は、本開示の様々な実施形態についての以下の詳細な説明および添付図面からより完全に理解されるであろう、しかしながら、それらは、本開示を特定の実施形態に限定するものではなく、単に解説および理解のためである。
【図面の簡単な説明】
【０００４】
【図１】本開示のいくつかの実施形態が動作することができる第１の実施例のネットワークアーキテクチャを示すブロック図である。
【図２】一実施形態による再選択プロセスを示すグラフである。
【図３】ユーザーデバイスが異なる移動度状態に関して隣接基地局からの無線信号のパワーレベルを評価することができる回数を示すタイミング図である。
【図４】一実施形態によるユーザーデバイス内の移動度モジュールを示すブロック図である。
【図５】一実施形態によって、ユーザーデバイスの移動度状態を決定する方法を示すフロー図である。
【図６】別の実施形態によって、ユーザーデバイスの移動度状態を決定する方法を示すフロー図である。
【図７】一実施形態によるコンピューティングデバイスの実施例の形式を有するユーザーデバイスのブロック図である。
【図８】さらに別の実施形態によって、ユーザーデバイスの移動度状態を決定する方法を示すフロー図である。
【発明を実施するための形態】
【０００５】
以下の開示は、本開示のいくつかの実施形態の十分な理解を提供するために、特定のシステム、構成要素、方法、およびその他の実施例などの多数の特定の詳細を説明する。しかしながら、本開示の少なくともいくつかの実施形態がそれらの特定の詳細がなくても実行され得ることは、当業者には明らかであろう。他の事例では、周知の構成要素または方法は、本開示を不必要に曖昧にすることを回避するために、詳細に説明しない、または単純なブロック図の形式で提示される。したがって、記載されている特定の詳細は、単なる例示である。特定の実装形態は、それらの例示の詳細とは異なることも可能であるが、依然として本開示の範囲内にあることが企図され得る。
【０００６】
ユーザーデバイスは、しばしば無線通信ネットワークを使用してデータを通信する。無線通信ネットワークは、ユーザーデバイスのための対応を提供する（例えば、無線信号を送受信する）異なる基地局を備える。ユーザーデバイスは、１つの基地局をサービング基地局として選択することができ、隣接基地局に再選択することができる。ユーザーデバイスはまた、サービング基地局から隣接基地局に移譲することができる。再選択および移譲を行うとき、ユーザーデバイスは、基地局によって送信される無線信号のパワーレベル（例えば、信号強度）、１つの基地局からの無線信号のパワーレベルが第２の基地局からの無線信号のパワーレベルよりも大きい時間量などの、特定の計測パラメータを計測することができる）。これらの計測パラメータを、ユーザーデバイスの移動度状態に基づいてスケーリングすることができる。より高い移動度状態にあるユーザーデバイスは、ユーザーデバイスがより多くの計測を行って、より迅速に再選択する、または移譲するように、計測パラメータを減少させるスケーリング係数を適用することができる。
【０００７】
ユーザーデバイスの移動度状態は、閾値期間内にユーザーデバイスが行う再選択の回数に基づいて決定され得る。しかしながら、ユーザーデバイスの移動度状態はユーザーデバイスが行った再選択の回数に基づいて決定されるので、ユーザーデバイスのより高い移動度状態（例えば、高位または中位の移動度）への移行は、デバイスの実際の移動と比較すると、遅れる可能性がある。さらに、ユーザーデバイスの移動度状態はまた、基地局の重畳する対応領域が原因で不正確になる場合がある。重畳する対応領域は、ユーザーデバイスが移動していない場合でも、ユーザーデバイスに絶えず再選択をさせて、ユーザーデバイスを高位の移動度状態に移行させる原因になる。
【０００８】
ユーザーデバイスの移動に基づいて、ユーザーデバイスの移動度状態を決定する方法および装置の実施形態を説明する。一実施形態では、ユーザーデバイスは、ユーザーデバイス上の１つ以上のセンサ（例えば、ＧＰＳデバイス、加速度計、コンパス等）を使用して、センサデータを取得することができる。センサデータに基づいて、ユーザーデバイスは、ユーザーデバイスの実際の移動を決定することができる。ユーザーデバイスは、デバイスの実際の移動に基づいて、異なる移動度状態に移行する、または現在の移動度状態に留まることができる。例えば、ユーザーデバイスが高速（例えば、毎時６５マイル（ＭＰＨ）で実際に走行しているという事由で、ユーザーデバイスは、高位の移動度状態のための再選択の回数が起こっていなくても、高位の移動度状態に移行することができる。別の実施例では、ユーザーデバイスが実際に移動していないという事由で、ユーザーデバイスは、高位の移動度状態のための再選択の回数が発生していても、通常の移動度状態に留まることができる。
【０００９】
本明細書に記載の実施形態は、直交ＦＤＭＡ（ＯＦＤＭＡ）ネットワーク、シングルキャリアＦＤＭＡ（ＳＣ−ＦＤＭＡ）ネットワーク、符号分割多重接続（ＣＤＭＡ）ネットワーク、時分割多重接続（ＴＤＭＡ）ネットワーク、周波数分割多重接続（ＦＤＭＡ）ネットワーク等のような様々な無線通信ネットワークまたはシステムに使用することができる。「ネットワーク」および「システム」という用語は、交換可能に使用され得る。ＣＤＭＡネットワークは、ユニバーサル地上無線アクセス（ＵＴＲＡ）などの無線技術を実装してもよい。ＵＴＲＡは、広帯域ＣＤＭＡ（Ｗ−ＣＤＭＡ）を含む。ＴＤＭＡネットワークは、モバイル通信用グローバルシステム（ＧＳＭ(登録商標)）などの無線技術を実装することができる。ＯＦＤＭＡネットワークは、進化型ＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭＡ等のような無線技術を実装することができる。ロングタームエボリューション（ＬＴＥ）ネットワークまたはシステムもまた、ＵＴＲＡ、Ｅ−ＵＴＲＡ、およびＧＳＭ(登録商標)を使用することができ、それらは、ユニバーサルモバイルテレコミュニケーションシステム（ＵＭＴＳ）の一部である。本開示はまた、基地局にも引用することができる。他の実施形態では、他の用語を基地局への引用に使用することができる。例えば、基地局は、アクセスノード、アクセスポイント、ノードＢ、ｅノードＢ、セル、マクロセル、セルタワーなどと呼ぶことができる。
【００１０】
図１は、本開示の実施形態が動作することができる実施例のネットワークアーキテクチャ１００を示すブロック図である。ネットワークアーキテクチャ１００は、基地局１０５Ａ〜１０５Ｊを備える。それぞれの基地局１０５Ａ〜１０５Ｊは、それぞれの対応領域１１０Ａ〜１１０Ｊ内のユーザーデバイス１２０、１３０、および１４０などのユーザーデバイスに無線信号（例えば、無線周波数信号）を送受信することができる。対応領域１１０Ａ〜１１０Ｊは、それぞれの基地局１０５Ａ〜１０５Ｊが無線信号をユーザーデバイスに送受信できる地理的領域であり得る。例えば、基地局１０５Ａは、対応領域１１０Ａ内のユーザーデバイスと通信する（無線信号を送受信する）ことができる。しかしながら、基地局１０５Ａは、基地局１０５Ｂの対応領域１１０Ｂ内のユーザーデバイスと通信できないこともある。対応領域１１０Ａ〜１１０Ｊは六角形として示されているが、物理的な地形（例えば、丘、山、谷、森、平らな土地など）、物理的な構造（例えば、建物、高層ビルなど）、または無線信号の他の供給源（例えば、他の基地局）からの電波干渉によって、対応領域１１０Ａ〜１１０Ｊは任意の幾何学的または不規則な形状であり得ることを理解されたい。一実施形態では、複数のセルの対応領域は重畳することがあり得る。例えば、ユーザーデバイス１２０は、対応領域１１０Ｂ、１１０Ｃ、および１１０Ｆが重畳する領域内に位置する。ユーザーデバイス１２０は、基地局１０５Ｂ、１０５Ｃ、および１０５Ｆのうちの任意の１つと通信する（無線信号を送受信する）ことが可能であり得る。重畳する領域を有する、または互いに隣接する基地局を、隣接体、隣接基地局、または隣接セルと呼ぶことができる。例えば、基地局１０５Ａは隣接基地局１０５Ｂ、１０５Ｄ、および１０５Ｅを有する。別の実施例では、基地局１０５Ｅは、隣接基地局１０５Ａ、１０５Ｂ、１０５Ｄ、１０５Ｆ、１０５Ｈ、および１０５Ｉを有する。一実施形態では、基地局の異なるセクターもまた、隣接体、隣接基地局、または隣接セルと呼ぶことができる。例えば、基地局１０５Ｄは、３つの異なるセクターまたはセクション（図示せず）を有することができる。それぞれのセクターまたはセクションは、対応領域１１０Ｄの一部のための対応を提供することができる。基地局は、任意の数の異なるセクターまたはセクション（例えば、２つのセクター、６つのセクター等）を有することができることを理解されたい。
【００１１】
ネットワークアーキテクチャ１００はまた、ユーザーデバイス１２０、１３０、および１４０を含むことができる。ユーザーデバイス１２０、１３０、および１４０は、デスクトップコンピュータ、ラップトップコンピュータ、メインフレームコンピュータ、パーソナルデジタルアシスタント（ＰＤＡ）、スマートフォン、ネットブックコンピュータ、タブレットコンピュータ、電子ブックリーダー等のようなコンピューティングデバイスであり得る。一実施形態では、ユーザーデバイス１２０、１３０、および１４０は、スマートフォン、ＰＤＡ、タブレットコンピュータ、電子ブックリーダー、ラップトップコンピュータ、携帯電話等のようなモバイルコンピューティングデバイスであってもよい。ユーザーデバイス１２０、１３０、および１４０のそれぞれは、基地局１０５Ａ〜１０５Ｊのうちの１つ以上を使用してデータを送信することができる。例えば、ユーザーデバイス１２０は、基地局１０５を使用し、無線信号を使用してメディアアイテムを受け取る（例えば、ダウンロードする）ことができる。別の実施例では、ユーザーデバイス１３０は、基地局１０５Ｄを使用して音声通話を開始することができる。ユーザーデバイス１２０、１３０、および１４０は、それぞれ接続状態またはアイドル状態にあることができる。アイドル状態では、ユーザーデバイスは、いずれの基地局との有効な通信チャネルをも有していないことがあり得る。接続状態では、ユーザーデバイスは、基地局との少なくとも１つの有効な通信チャネルを有することができる。例えば、ＷＣＤＭＡ(登録商標)プロトコルを使用するユーザーデバイスの接続状態は、限定されないが、専用チャネル（ＣＥＬＬ＿ＤＣＨ）状態、フォワードアクセスチャネル（ＣＥＬＬ＿ＦＡＣＨ）状態、セルページングチャネル（ＣＥＬＬ＿ＰＣＨ）状態、およびＵＴＲＡＮ登録エリアページングチャネル（ＵＲＡ＿ＰＣＨ）状態を含む。別の実施例では、ＬＴＥプロトコルを使用するユーザーデバイスは、１つのタイプの接続状態、および１つのタイプのアイドル状態を有することができる。
【００１２】
一実施形態では、ユーザーデバイス１２０などのユーザーデバイスは、基地局１０５Ａ〜１０５Ｊのうちの１つをサービング基地局となるように選択することができる。サービング基地局は、ユーザーデバイス１２０が選択した、または「キャンプオンした」基地局であり得る。ユーザーデバイス１２０が有効な通信チャネルを確立する（例えば、ユーザーデバイス１２０が音声通話、データ呼出し等を行う）とき、ユーザーデバイス１２０はサービング基地局と通信する。別の実施形態では、ユーザーデバイス１３０などのユーザーデバイスは、基地局を選択する（例えば、キャンプオンする）ことができ、異なる対応領域を通って移動することができる。例えば、ユーザーデバイス１３０は、基地局１０５Ｄを選択することができ、ユーザーデバイス１３０は、対応領域１１０Ｄから、対応領域１１０Ｅへ、対応領域１１０Ｆへ、対応領域１１０Ｇへ移動することができる（図１の点線の矢印で示すように）。ユーザーデバイス１３０が対応領域１１０Ｅ、１１０Ｆ、および１１０Ｇを通って移動すると、ユーザーデバイスは、基地局１０５Ｄから、基地局１０５Ｅに、基地局１０５Ｆに、および基地局１０５Ｇに再選択することができる。ユーザーデバイス１３０は、第２の基地局からの無線信号のパワーレベルまたは信号強度が第１の基地局からの無線信号のパワーレベルまたは信号強度よりも閾値期間にわたって大きいとき、第１の基地局から第２の基地局に再選択することができる。ユーザーデバイスによって行われる再選択プロセスを、図２と併せて以下により詳細に説明する。
【００１３】
一実施例では、ユーザーデバイスは、有効な通信チャネルを介して基地局とデータを通信することができる。例えば、ユーザーデバイス１４０は、基地局１０５Ｈを使用して音声通話をしている場合がある。ユーザーデバイス１４０が対応領域１１０Ｈから、１１０Ｉへ、１１０Ｊへ移動すると、ユーザーデバイス１４０は基地局１０５Ｈから、１０５Ｉに、１０５Ｊに移譲することができる。移譲は、有効な通信チャネルが１つの基地局から別の基地局に移動するプロセスであり得る。移譲は、ユーザーデバイス（例えば、ユーザーデバイス１４０）が第１の基地局（例えば、基地局１０５Ｈ）との有効な接続を有していて、第１の基地局の対応領域から第２の基地局（例えば、基地局１０５Ｉ）の対応領域に向かって移動するときに、起こり得る。第１の基地局、第２の基地局、およびユーザーデバイスは、第２の基地局への有効な接続の移動または移行を調整するために、互いに通信することができる。ユーザーデバイスによって行われる移譲プロセスを、図２と併せて以下により詳細に説明する。
【００１４】
ユーザーデバイス１２０、１３０、および１４０は、基地局１０５Ａ〜１０５Ｊによって受け取られる無線信号のパワーレベル（例えば、信号強度）を計測することができる。無線信号のパワーレベルに基づいて、ユーザーデバイス１２０、１３０、および１４０は、１つの基地局から別の基地局に再選択する、または移譲することができる。ユーザーデバイス１２０、１３０、および１４０が行う計測は、ユーザーデバイス１２０、１３０、および１４０の移動度状態によって影響される。ユーザーデバイスの移動度状態は、ユーザーデバイスが如何に速く移動しているか、または走行しているか（例えば、ユーザーデバイスの移動の割合）を示すことができる。多くの通信規格（例えば、ＬＴＥ、Ｗ−ＣＤＭＡ、ＨＳＤＰＡ等）は、３つの異なる移動度状態を含む。第１の移動度状態は、ユーザーデバイスが高速（例えば、毎時５０マイル（ＭＰＨ））で移動していることを示すことができる高位の移動度状態であり得る。第２の移動度状態は、ユーザーデバイスが中速（例えば、２５ＭＰＨ）で移動していることを示すことができる中位の移動度状態であり得る。第３の移動度状態は、ユーザーデバイスが低速（例えば、人の歩行速度）で移動していることを示すことができる通常の移動度状態、または低位の移動度状態であり得る。本開示は、３つの異なる移動度状態（例えば、高位、中位、通常）に言及することができるが、他の通信規格は異なる数の移動度状態を使用することができ、本開示の実施形態は、異なる数の移動度状態に適用可能であることを理解されたい。実施形態では、ユーザーデバイスのそれぞれの異なる移動度状態は、異なる数の再選択に関連付けられることができる。
【００１５】
移動度状態に基づいて、ユーザーデバイスは、無線信号を計測するときにユーザーデバイスが使用する計測パラメータ（例えば、サービングセルのパワーレベル、隣接セルのパワーレベル、隣接セルのパワーレベルがサービングセルのパワーレベルよりも良好であるべき期間等）をスケーリングする、またはオフセットすることができる。一実施形態では、計測パラメータは、ユーザーデバイスが１つ以上の基地局から受け取る無線信号の信号強度（例えば、パワーレベル）を計測するときに使用される任意の値、変数、または期間であり得る。例えば、ユーザーデバイスが第１の基地局から第２の基地局に再選択するために、第２の基地局からの無線信号のパワーレベルが、第１の基地局からの無線信号のパワーレベルよりもある期間（例えば、５秒）にわたって良好でなければならない。しかしながら、ユーザーデバイスが高位の移動度にある場合、その期間は減少され得る（例えば、２秒に減少される）。一般的に、ユーザーデバイスが高位の移動度状態または中位の移動度状態にある場合、ユーザーデバイスのより速い移動速度によってユーザーデバイスがより迅速にサービング基地局の対応領域の外に移動するので、ユーザーデバイスがより迅速に隣接基地局に再選択することを可能にするために、ユーザーデバイスは計測パラメータをスケーリングする。ユーザーデバイスはまた、通常の移動度状態と比較して高位の移動度状態および中位の移動度状態では、無線信号のパワーレベルの計測をより頻繁に行う可能性がある。無線信号のパワーレベルの計測を行うことは、ユーザーデバイスのエネルギー使用量を増やし、したがってユーザーデバイスのバッテリー寿命を減少させる可能性がある。
【００１６】
一般的に、ユーザーデバイスの移動度状態は再選択の条件に基づいて決定される。再選択の条件は、ユーザーデバイスが指定の期間内に行った再選択の回数、およびその期間自体を含み得る。例えば、ユーザーデバイスが２分間（例えば、第２の再選択の条件）内に１０回の再選択（例えば、第１の再選択の条件）を行う場合、ユーザーデバイスは高位の移動度状態に移行することができる。別の実施例では、ユーザーデバイスが１分間内に３回の再選択を行う場合、ユーザーデバイスは中位の移動度状態に移行することができる。異なる通信規格は、異なる移動度状態への移行のために、再選択の異なる回数および異なる期間を使用することができる。再選択を計数するための期間を、ＴCRmaxと呼ぶことができる。高位の移動度状態への移行のための再選択の閾値回数を、ＮCR_Hと呼ぶことができ、中位の移動度状態への移行のための再選択の閾値回数を、ＮCR_Mと呼ぶことができる。他の実施形態では、他の無線通信規格は、異なる再選択のパラメータに異なる値を使用することができ、再選択のパラメータを異なる名称で呼ぶことができる。
【００１７】
ユーザーデバイスの移動度状態は、ユーザーデバイスが行った再選択の回数に基づいて決定されるので、ユーザーデバイスのより高い移動度状態（例えば、高位または中位の移動度）への移行は、デバイスの実際の移動と比較すると、遅れる可能性がある。例えば、ユーザーデバイス１３０は、基地局１０５Ｄから、基地局１０５Ｅに、基地局１０５Ｆに、基地局１０５Ｇに、再選択することができる。ユーザーデバイスは、ユーザーデバイス１３０が基地局１０５Ｇに最後の再選択を行うまで、高位の移動度状態に移行することができない。しかしながら、ユーザーデバイスは、対応領域１１０Ｄから１１０Ｅに移動したとき、既に高速で移動していた。別の実施例では、ユーザーデバイス１４０が対応領域１１０Ｈ、１１０Ｉ、および１１０Ｊを通って移動するとき、ユーザーデバイス１４０は、高位の移動度状態であることができる。ユーザーデバイスは、対応領域１１０Ｊ内で移動を停止することができる（例えば、ユーザーデバイスが移動を停止した自動車内にある）。ユーザーデバイスは、ある期間が経過するまで、中位の移動度または通常の移動度に戻るように移行することができない。しかしながら、ユーザーデバイスは既に対応領域１１０Ｊ内で移動を停止していた。さらに、ユーザーデバイスの移動度状態はまた、基地局の重畳する対応領域が原因で不正確である可能性がある。例えば、ユーザーデバイス１２０は、対応領域１１０Ｂ、１１０Ｃ、および１１０Ｆが重畳する領域内に存在する場合がある。変化する無線周波数条件（例えば、他のユーザーデバイスまたは基地局からの干渉、地理的特徴、物理的構造等）によって、ユーザーデバイス１２０は、基地局１０５Ｂ、１０５Ｃ、および１０５Ｆの間で常に再選択をする可能性がある。したがって、ユーザーデバイス１２０は、ユーザーデバイス１２０が移動していないので、高位の移動度状態または中位の移動度状態に移行する可能性がある。
【００１８】
それぞれのユーザーデバイス１２０、１３０、および１４０は、移動度モジュール１５０を備える。一実施形態では、移動度モジュール１５０は、ユーザーデバイス内の様々なセンサからセンサデータを受け取ることができる（例えば、全地球測位システム（ＧＰＳ）デバイス、加速度計、ジャイロスコープ、コンパス等）。ＧＰＳデバイスから受け取るセンサデータをまた、場所データと呼ぶことができる。移動度モジュール１５０は、移動データ（例えば、ユーザーデバイスが如何に移動したかを示す、またはユーザーデバイスが現在、如何に移動しているかを示すデータ）を計算することができ、ユーザーデバイスの移動の割合（例えば、ユーザーデバイスの移動の速度）を決定することができる。例えば、移動度モジュール１５０は、ユーザーデバイスが６５ＭＰＨで移動していることを決定することができる。別の実施例では、移動度モジュール１５０は、ユーザーデバイスが移動していない（例えば、静止している）ことを決定することができる。移動度モジュール１５０はまた、移動データに基づいて移動の方向を決定することができる。例えば、移動度モジュール１５０は、ユーザーデバイスが特定の方向（例えば、北東）に曲線または直線の経路に沿って移動していることを決定することができる。一実施形態では、ユーザーデバイスが閾値期間内に高位の移動度状態または中位の移動度状態のための再選択の回数を行っていないが、移動度モジュール１５０は、ユーザーデバイスの移動の割合に基づいて、ユーザーデバイスを高位の移動度状態または中位の移動度状態に移行させることができる。別の実施形態では、ユーザーデバイスが閾値期間内に異なる移動度状態（例えば、高位の移動度状態）のための再選択の回数を行っているが、移動度モジュール１５０は、ユーザーデバイスに現在の移動度状態に留まる（例えば、通常の移動度状態に留まる）ように命令することができる。一実施形態では、移動度モジュール１５０はまた、ユーザーデバイスを１つの移動度状態に移行させる、または１つの移動度状態に留まらせるとき、閾値期間内にユーザーデバイスが行う再選択の回数、およびユーザーデバイスの移動の割合（例えば、速度）を使用することができる。例えば、移動度モジュール１５０は、ユーザーデバイスが５５ＭＰＨで移動している、かつ１分間内に２回の再選択を行った場合、ユーザーデバイスを高位の移動度状態に移行させることができる。
【００１９】
一実施形態では、センサデータを使用してユーザーデバイスの移動の割合（例えば、ユーザーデバイスの移動の速度または速さ）を決定することにより、移動度モジュール１５０は、再選択の回数を単独で使用するよりも迅速にユーザーデバイスをより高い移動度状態に移行させることが可能であり得る。別の実施形態では、センサデータを使用してユーザーデバイスの移動の割合を決定することにより、移動度モジュールはまた、ユーザーデバイスが高位の移動度状態または中位の移動度状態に移行すべきでなくて、通常の移動度状態に留まることができることを決定することが可能であり得る。
【００２０】
一実施形態では、ユーザーデバイス１２０、１３０、または１４０が基地局と有効な通信チャネルを有する間（例えば、ユーザーデバイス１２０、１３０、または１４０が音声通話またはデータ呼出しの状態にある間）、移動度モジュール１５０は、ユーザーデバイス内の様々なセンサからセンサデータを受け取ることができ、ユーザーデバイスの移動の割合を決定することができる。ユーザーデバイス１２０、１３０、および１４０が隣接基地局からの無線信号を評価するとき、移動度モジュール１５０は、無線信号を評価するために使用される１つ以上の計測パラメータをスケーリングする、またはオフセットすることができる。例えば、ユーザーデバイスがメッセージ（隣接基地局からの無線信号のパワーレベルがサービング基地局の無線信号のパワーレベルよりも良好であることを示す計測報告）を送信する前に、移動度モジュール１５０は、隣接基地局からの無線信号のパワーレベルがサービング基地局からの無線信号のパワーレベルよりも大きくなければならない時間量にオフセットを適用する（例えば、減少させる）ことができる。別の実施形態では、移動度モジュール１５０は、ユーザーデバイス１２０、１３０、および１４０が隣接基地局からの無線信号のパワーレベルを評価する（例えば、計測する）周波数、またはユーザーデバイス１２０、１３０、または１４０が隣接基地局からの無線信号のパワーレベルを示すメッセージ（例えば、計測報告）をサービング基地局に送信することができる周波数、を増加させることができる。
【００２１】
一実施形態では、基地局１０５Ａ〜１０５Ｊは、１つ以上の無線通信規格を使用してユーザーデバイスと通信することができる。例えば、全ての基地局１０５Ａ〜１０５Ｊは、ＬＴＥを使用してユーザーデバイスと通信することができる。別の実施例では、基地局１０５Ａの一部は、ＬＴＥを使用してユーザーデバイスと通信することができ、基地局１０５Ｂは、Ｗ−ＣＤＭＡを使用してユーザーデバイスと通信することができる（例えば、基地局１０５Ａ〜１０５Ｊは、インター無線アクセス技術（インターＲＡＴ）の隣接体であり得る）。別の実施形態では、基地局１０５Ａ〜１０５Ｊは、同じ周波数を有する無線信号を使用して通信することができる。例えば、基地局１０５Ａ〜１０５Ｊは、全て７００ＭＨｚの無線信号を使用してユーザーデバイスと通信することができる。さらなる実施形態では、基地局１０５Ａ〜１０５Ｊは、異なる周波数を有する無線信号を使用して通信することができる。例えば、基地局１０５Ｂは、８００ＭＨｚの無線信号を使用してユーザーデバイスと通信することができ、基地局１０５Ｅは、１７００ＧＨｚの無線信号を使用してユーザーデバイスと通信することができる。
【００２２】
一実施形態では、ユーザーデバイスは、ユーザーデバイスのサービング基地局から計測パラメータ、スケーリングオフセット、および隣接基地局のリストを受け取ることができる。例えば、サービング基地局は、基地局にアクセスする、または基地局を使用するときにユーザーデバイスによって使用され得るシステム情報をブロードキャストすることができる。システム情報は、システム情報ブロック（ＳＩＢ）などのメッセージでユーザーデバイスにブロードキャストすることができる。ＳＩＢは、ユーザーデバイスが監視する、または評価することができる計測パラメータ、スケーリングオフセット、または隣接セルのリストを含み得る。他の実施形態では、異なる無線通信規格は、異なるタイプのメッセージを使用して、計測パラメータ、スケーリングオフセット、隣接体リスト等のようなシステム情報をブロードキャストすることができる。
【００２３】
図２は、一実施形態による、再選択プロセスを示すグラフ２００である。グラフ２００は、４本の線を含み、実線はサービング基地局（例えば、サービング基地局）の無線信号のパワーレベルを表し、一点鎖線は隣接基地局（例えば、隣接基地局）の無線信号のパワーレベルを示し、破線はオフセットＱhystが適用された後のサービング基地局のパワーレベルを示し、点線はオフセットＱoffsetが適用された後の隣接基地局のパワーレベルを示す。
【００２４】
図２に示すように、サービング基地局から受け取る無線信号のパワーレベルは、時間が増加するにつれて減少し、隣接基地局から受け取る無線信号のパワーレベルは、時間が増加するにつれて増加する。ユーザーデバイスが通常の移動度にあるとき、サービング基地局からの無線信号のパワーレベルは、オフセットＱhystだけ増加され、隣接基地局からの無線信号のパワーレベルは、Ｑoffsetだけ減少される。その結果、隣接基地局のパワーレベルは、期間Ｔreselection(normal)の開始までサービング基地局のパワーレベルよりも大きくない。オフセットＱhystおよびＱoffsetは、サービング基地局のパワーレベルを拡大し、隣接基地局のパワーレベルを縮小することによって、ユーザーデバイスが再選択する回数を減らすために使用することができる（例えば、ユーザーデバイスがサービング基地局にキャンプオンしたままになる機会を増やす）。隣接基地局のパワーレベルが期間Ｔreselection(normal)にわたってサービング基地局のパワーレベルより一旦大きくなると、ユーザーデバイスは隣接基地局に再選択する。ユーザーデバイスは、以下の式を使用してサービングセルおよび隣接セルのためのパワーレベルを計算することができる。
Ｒs＝Ｑmeas,s＋Ｑhyst        （１）
Ｒn＝Ｑmeas,n−Ｑoffset      （２）
Ｒsはサービングセルのパワーレベルまたはランクであり、Ｒnは隣接セルのパワーレベルまたはランクであり、Ｑmeas,sはサービングセルからの無線信号の実測パワーレベルであり、Ｑmean,nは隣接セルからの無線信号の実測パワーレベルである。
【００２５】
ユーザーデバイスが高位の移動度状態にあるとき、オフセットＱhystおよびＱoffsetは、スケーリング係数によって調整され得る。例えば、オフセットＱhystおよびＱoffsetは、スケーリング係数によって０まで減らすことができる。スケーリング係数は、別の値を調整または変更（例えば、増加または減少）するために使用される値であり得る。オフセットＱhystおよびＱoffsetが縮小される、または減らされると、隣接基地局の電力パワーレベルは、より早期の時点（例えば、期間Ｔreselection(high)の開始時）でサービング基地局のパワーレベルよりも大きくなる。これは、ユーザーデバイスが通常の移動度にあるときよりも早くにユーザーデバイスが再選択することを可能にする。さらに、ユーザーデバイスが高位の移動度状態にあるとき、再選択が起こる前に隣接基地局のパワーレベルがサービング基地局のパワーレベルよりも大きくなければならない期間が減少する。例えば、図２に示すように、スケーリング係数は、期間Ｔreselection(normal)に適用され、より小さい期間Ｔselection(high)を得る。これはまた、ユーザーデバイスが通常の移動度状態にあるときよりも早くにユーザーデバイスが再選択することを可能にする。
【００２６】
ユーザーデバイスは、高位の移動度状態または中位の移動度状態にあるとき（通常の移動度状態と比較するとき）、より高速で移動しているので、ユーザーデバイスは、サービング基地局からのサービスをより迅速に失う可能性がある（例えば、無線信号を受信することが不能になる可能性がある）。オフセットＱhystおよびＱoffsetのうちの１つ以上、および期間Ｔreselection(normal)にスケーリング係数を適用することは、ユーザーデバイスが隣接基地局をより迅速に再選択することを可能にし、ユーザーデバイスがサービスを失うことを防ぐために有用である。
【００２７】
一実施形態では、移譲を行うためのプロセス（例えば、サービング基地局または基地局から隣接基地局または基地局に有効な通信チャネルを移動すること）は、再選択を行うためのプロセスと同様であり得る。例えば、移譲を行う前に、隣接基地局からの無線信号のパワーレベルは、閾値時間量にわたってサービング基地局からの無線信号のパワーレベルよりも大きくなければならない。移譲のプロセスでは、サービング基地局および隣接基地局からの無線信号の計測されたパワーレベルをシフトするためのオフセット、移譲が起こる前の期間、およびスケーリング係数は、異なる名称で呼ぶことができ、異なる値を有することができる。例えば、基地局の信号強度を「Ｍ」と呼びことができ、基地局の信号強度のためのオフセットを「ＣＩＯ」（例えば、セル個別オフセット）と呼ぶことができる。オフセットＣＩＯを、ユーザーデバイスの移動度状態に基づいて調整する、またはスケーリングすることができる。ヒステリシスパラメータまたはＨパラメータもまた、隣接基地局の信号強度に適用され得る。ヒステリシスパラメータ（例えば、Ｈ）をまた、ユーザーデバイスの移動度状態に基づいて調整する、またはスケーリングすることができる。
【００２８】
セルの再選択プロセスと同様に、スケーリング係数は、ユーザーデバイスが移譲を行う前の時間量を減らすために使用され得る。ユーザーデバイスは、高位の移動度状態にあるとき、高速で走行している可能性があるので、ユーザーデバイスは、より高速でサービング基地局から離れる可能性がある。ユーザーデバイスが移譲を行う前の時間量を減らすことは、ユーザーデバイスが有効な接続を失う（例えば、通話が途切れる）機会を減らすことができる。一実施形態では、移動度状態はまた、ユーザーデバイスがサービング基地局および隣接基地局のパワーレベルをサービング基地局に報告する、または通信する方法に影響を与え得る。ユーザーデバイスは、周期的な報告（例えば、５００ミリ秒毎に一度、メッセージまたは報告を送る）、またはイベントに基づく報告（ある条件または基準が満たされると、メッセージまたは報告を送る）を使用することができる。周期的報告を使用するとき、ユーザーデバイスは、サービング基地局から受け取る無線信号のパワーレベル、および隣接基地局から受け取る無線信号のパワーレベルを示すメッセージを周期的に送ることができる。イベントに基づく報告を使用するとき、ユーザーデバイスは、隣接基地局から受け取る無線信号のパワーレベルがサービング基地局から受け取る無線信号のパワーレベルよりもある期間にわたって大きいときにメッセージを送る。これらのメッセージを、計測報告と呼ぶことができる。ユーザーデバイスが高位の移動度状態または中位の移動度状態にあるとき、ユーザーデバイスはより多くの周期的な計測報告を送ることができる、または隣接基地局のパワーレベルがサービング基地局のパワーレベルよりも大きくなければならない期間を減少させることができる。計測報告に基づいて、サービング基地局、ユーザーデバイス、および隣接基地局が連携して動作し、ユーザーデバイスをサービング基地局から隣接基地局に移譲することができる。
【００２９】
図３は、ユーザーデバイスが異なる移動度状態について隣接基地局からの無線信号のパワーレベルを評価する（例えば、隣接基地局の計測を行う）ことができる回数を示すタイミング図３００である。タイミング図３００は、複数の期間に分割される（破線で示すように）。図３に示すように、ユーザーデバイスは、ユーザーデバイスが高位の移動度状態にあるとき、２期間毎に隣接基地局からの無線信号のパワーレベルを評価することができる。ユーザーデバイスは、高位の移動度状態から中位の移動度状態または通常の移動度状態に移行することができる（矢印で示すように）。中位の移動度状態では、ユーザーデバイスは、３期間毎に隣接基地局からの無線信号のパワーレベルを評価することができる。ユーザーデバイスは、中位の移動度状態から高位の移動度状態または通常の移動度状態に移行することができる。通常の移動度状態では、ユーザーデバイスは、５期間毎に隣接基地局からの無線信号のパワーレベルを評価することができる。ユーザーデバイスは、中位の移動度から高位の移動度または中位の移動度に移行することができる。
【００３０】
一実施例では、ユーザーデバイスは、期間毎にサービング基地局から受け取る無線信号（例えば、サービング無線信号）のパワーレベルを決定することができる。サービング無線信号のパワーレベルが最小閾値未満の場合（例えば、Ｓ基準がＬＴＥまたはＵＭＴＳ通信規格を満たさない場合）、ユーザーデバイスは、隣接基地局から受け取る無線信号のパワーレベルを評価することができる。したがって、ユーザーデバイスは、図２に示すように、一定の間隔で隣接基地局からの無線信号の隣接体からの無線信号のパワーレベルを評価しないことができる。ユーザーデバイスは、サービング無線信号のパワーレベルのための最小閾値が最小閾値未満のとき、隣接基地局からの無線信号のパワーレベルを評価することができる。一実施形態では、スケーリング係数が最小閾値に適用され得る（例えば、ユーザーデバイスの移動度状態に基づくＳ基準）。例えば、ユーザーデバイスが高位の移動度にある場合、スケーリング係数を最小閾値に適用して最小閾値を増加させることができる。別の実施例では、ユーザーデバイスがＷＣＤＭＡ(登録商標)またはＬＴＥプロトコルを使用する場合、ユーザーデバイスは、サービング無線信号のパワーレベルを評価するときにパラメータＱrxlevminoffsetを使用することができる。ユーザーデバイスは、パラメータＱrxlevminoffsetを使用してサービング無線信号のパワーレベルをオフセットし、最小閾値を増加させることができる。パラメータＱrxlevminoffsetの値は、ユーザーデバイスの移動度状態に基づくことができる。より高い最小閾値は、最小閾値がより頻繁に満たされなくなるので、ユーザーデバイスにより頻繁に計測を行わせることができる。これは、ユーザーデバイスに高位の移動度状態または中位の移動度状態で多くの計測を行わせることができる。
【００３１】
ユーザーデバイスが隣接基地局からの無線信号のパワーレベルを評価するとき、ユーザーデバイスはバッテリー電力を使用することができる。例えば、ユーザーデバイスは、アンテナをある特定の周波数に同調させて、隣接基地局からの無線信号を検出することができる。ユーザーデバイスはまた、無線信号を分析して無線信号のパワーレベルまたは強度を決定することができる。パワーレベルを評価した後、ユーザーデバイスは、ユーザーデバイスが隣接基地局に再選択をすべきかどうかを決定することができる。これらの動作のそれぞれは、ユーザーデバイスがパワーレベルを評価しないときよりもユーザーデバイスが多くのエネルギーを使用する（例えば、多くのバッテリー電力を使用する）原因となり得る。したがって、ユーザーデバイスは、計測の増加が原因で高位の移動度状態および中位の移動度状態においてより多くの電力を使用することになる。
【００３２】
上述のように、ユーザーデバイスは、複数の基地局からの重畳する対応の対象となる領域内に位置する場合がある。重畳する対応は、ユーザーデバイスが、ユーザーデバイスを高位の移動度に移行させる再選択を常に行い、より頻繁に計測を実行して多くの電力を使用する原因となり得る。ユーザーデバイスの移動度モジュールは、ユーザーデバイスが実際に移動していない、または十分な速さでは移動していない（例えば、５０ＭＰＨよりも速く移動していない）ことを決定することができる。移動度モジュールは、ユーザーデバイスを通常の移動度状態に留まらせ、ユーザーデバイスが高位の移動度状態にあるときよりも少ない頻度でユーザーデバイスが計測を実行するので、ユーザーデバイスがより少ない電力を使用することを可能にすることができる。
【００３３】
図４は、一実施形態によってユーザーデバイス１２０内の移動度モジュール１５０を示すブロック図である。移動度モジュール１５０は、センサモジュール３０５、移動モジュール３１０、ＲＦモジュール３１５、移動度状態モジュール３２０、再選択モジュール３２５、および報告モジュール３３０を備える。一般性を損なわずに、構成要素を移動度モジュール１５０に増減することができる。例えば、モジュールのうちの２つを単一のモジュールに組み込んでもよく、またはモジュールのうちの１つを２つ以上のモジュールに分割してもよい。一実施形態では、１つ以上のモジュールが異なるコンピューティングデバイス（例えば、異なるディスクトップ、またはラップトップコンピュータ）に存在してもよい。移動度モジュール１５０は、データ記憶部３５０およびセンサデバイス３４０に通信可能に結合される。センサデバイス３４０は、限定されないが、ＧＰＳデバイス、加速度計、ジャイロスコープ、コンパス、気圧計、カメラ、時計等を備えることができる。
【００３４】
一実施形態では、センサモジュール３０５は、センサデバイス３４０と通信することができる。センサモジュール３０５は、センサデバイス３４０からセンサデータを受け取ることができる。例えば、センサモジュール３０５は、ＧＰＳデバイスから場所データ（例えば、ＧＰＳ座標または場所データなどのデータ）、加速度計からセンサデータ（例えば、加速度の量を示すデータ）、ジャイロスコープからセンサデータ（例えば、ユーザーデバイス１２０の向きを示すデータ）、コンパスからセンサデータ（例えば、北、南東等のような方向を示すデータ）、カメラからセンサデータ（例えば、ビデオまたは画像データ）等を受け取ることができる。
【００３５】
移動モジュール３１０は、センサモジュール３０５が受け取るセンサデータ（例えば、場所データ）を分析して、ユーザーデバイスの移動の割合（例えば、速度）を決定することができる（例えば、静止、加速、定速の移動、ある方向の移動等）。例えば、移動モジュール３１０は、ＧＰＳデバイスから受け取るセンサデータ（例えば、場所データ）を分析することができる。移動モジュール３１０は、場所データを基づいて移動データ（例えば、ユーザーデバイスが如何に移動したか、またはユーザーデバイスが如何に現在移動しているか、を示すデータ）を計算する、または生成することができる。例えば、移動データは、ユーザーデバイスが、ある特定時間内で、ある特定の方向に、ある特定の距離を走行したことを示すことができる。移動データに基づいて、モジュールは、ユーザーデバイスの移動の割合（例えば、６５ＭＰＨなどの速度）および移動方向（例えば、北東）のうちの１つ以上を決定することができる。例えば、移動モジュール３１０は、センサデータに基づいて、ユーザーデバイスが、ある特定の方向に、ある特定の速度で移動していることを決定することができる。別の実施例では、移動モジュール３１０は、加速度計およびコンパスからセンサデータを受け取ることができる。移動モジュール３１０は、ユーザーデバイスが、ある特定の速度で、ある特定の方向に加速し、加速後、一定の速度を維持したことを決定することができる。移動モジュール３１０は、センサデータに基づいて、ユーザーデバイスの速度および方向を決定することができる。別の実施例では、移動モジュール３１０は、カメラからセンサデータ（例えば、ビデオデータ）を受け取ることができ、ビデオデータに基づいてユーザーデバイスの速度を決定することが可能であり得る（例えば、通過する景色のビデオに基づいてユーザーデバイスの速度を推定する）。
【００３６】
いくつかの実施形態では、移動モジュール３１０は、ユーザーデバイスの移動の割合を決定するために様々なアルゴリズム、機能、または操作を使用することができる。例えば、移動モジュール３１０は、加速度計から受け取るセンサデータを、カルマンフィルターを使用して処理し、ユーザーデバイスが移動しているかどうか、および移動の速度（例えば、５５ＭＰＨ）を決定することができる。別の実施例では、移動モジュールは、センサ融合アルゴリズム（例えば、決定をする、または計算を行うために様々なセンサから受け取るセンサデータを組み合わせるアルゴリズム）を使用して、ユーザーデバイス１２０の移動を決定することができる。センサ融合アルゴリズムは、限定されないが、中心極限定理、カルマンフィルター、ベイジアンネットワーク、デンプスター−シェーファー理論等を含み得る。一実施形態では、異なるセンサ融合アルゴリズムを互いに、または他のアルゴリズムおよび機能と組み合わせて使用し、ユーザーデバイスの移動の割合または方向を決定することができる。
【００３７】
一実施形態では、ユーザーデバイス１２０は、複数のセンサデバイスを備えることができる（例えば、ＧＰＳデバイス、カメラ、加速度計、ジャイロスコープ、およびコンパス）。移動モジュール３１０は、ある特定のタイプのセンサデバイスが利用可能であるとき、それらのタイプのセンサデバイスを選択することができる。例えば、移動モジュール３１０は、ＧＰＳデバイスからのセンサデータを使用することを選択することができる（例えば、移動または場所を決定するために使用することができるＧＰＳ座標、場所、または他のデータなどの場所データ）。ＧＰＳからのセンサデータが利用可能でない場合、移動モジュール３１０は、加速度計およびコンパスからのセンサデータを使用することができる。または、移動モジュール３１０は、ＧＰＳデバイスからのセンサデータが利用可能でないとき、カメラからのセンサデータを使用することができる。
【００３８】
一実施形態では、移動度状態モジュール３２０は、移動モジュール３１０によって決定された移動の割合に基づいて、ユーザーデバイス１２０の移動度状態を決定することができる。例えば、移動モジュール３１０は、ユーザーデバイス１２０が６５ＭＰＨで移動していることを決定することができる。移動度状態モジュール３２０は、ユーザーデバイスが通常の移動度状態から高位の移動度状態に移行すべきであることを決定することができる。別の実施例では、移動モジュール３１０は、ユーザーデバイス１２０が静止していることを決定することができる。移動度状態モジュール３２０は、ユーザーデバイス１２０が高位の移動度状態に移行するために十分な回数で再選択したかもしれないが、ユーザーデバイスが通常の移動度状態に留まるべきであることを決定することができる。
【００３９】
一実施形態では、ＲＦモジュール３１５は、１つ以上の基地局から無線信号を受け取ることができる。ＲＦモジュール３１５は、無線信号を復号化することができ、１つ以上の基地局からの無線信号のパワーレベル（例えば、強度）を計測することができる。ＲＦモジュール３１５はまた、１つ以上の基地局に無線信号を送信することができる（例えば、無線信号を使用してデータを符号化する、または変調することによってデータを送信することができる）。ＲＦモジュール３１５は、移動度状態に基づいて、１つ以上の基地局からの無線信号のパワーレベルを評価する（例えば、計測する）ことができる。例えば、ＲＦモジュール３１５は、ユーザーデバイス１２０が高位の移動度状態、または中位の移動度状態にあるとき（図３に示すように）、隣接基地局からの無線信号のパワーレベルをより頻繁に計測することができる。
【００４０】
一実施形態では、再選択モジュール３２５は、移動度状態モジュール３２０によって決定される移動度状態に基づいて再選択を行うことができる。再選択モジュール３２５は、隣接基地局に再選択をするかどうかを決定するとき、計測パラメータおよび期間にスケーリング係数を適用することができる。再選択モジュール３２５は、ユーザーデバイス１２０の移動度状態に基づいて、異なるスケーリング係数を適用することができる。例えば、再選択モジュール３２５は、ユーザーデバイス１２０が高位の移動度状態にあるとき、第１のスケーリング係数をオフセットＱhystに適用することができ、ユーザーデバイス１２０が中位の移動度状態にあるとき、第２のスケーリング係数をオフセットＱhystに適用することができ、ユーザーデバイス１２０が通常の移動度状態にあるとき、第３のスケーリング係数をオフセットＱhystに適用することができる。スケーリング係数を計測パラメータまたは期間に適用した後、再選択モジュールは、再選択のための基準（図２に関連して上述したように）が満たされたかどうかを決定し、それらの基準が満たされると隣接セルに再選択することができる。
【００４１】
一実施形態では、報告モジュール３３０は、移動度状態モジュール３２０によって決定される移動度状態に基づいて、１つ以上の報告を送ることができる。報告モジュール３３０は、周期的な報告を使用しているとき、かつユーザーデバイス１２０が高位の移動度状態、または中位の移動度状態にあるとき、周期的な計測報告を送ることができる。報告モジュール３３０はまた、イベントに基づく報告を使用しているとき、イベントに基づく計測報告を送ることができる。例えば、報告モジュール３３０は、隣接基地局のパワーレベルがある期間にわたってサービング基地局のパワーレベルよりも大きいとき（例えば、イベントが起こったとき）、計測報告を送ることができる。一実施形態では、報告モジュール３３０は、周波数内隣接基地局のためのタイプ１のイベント（例えば、イベント１）、周波数間隣接基地局のためのタイプ２のイベント（例えば、イベント２）、またはＲＡＴ間隣接基地局のためのタイプ３のイベント（例えば、イベント３）を示す計測報告を送ることができる。報告モジュール３３０はまた、ユーザーデバイス１２０の移動度状態に基づいて、隣接基地局のパワーレベルがサービング基地局のパワーレベルよりも大きくなければならない期間を減少させることができる。
【００４２】
移動度モジュール１５０は、データ記憶部３５０に結合される。データ記憶部３５０は、メモリ（例えば、ランダムアクセスメモリ）、キャッシュ、ドライブ（例えば、ハードドライブ）、フラッシュドライブ、データベースシステム、またはデータを記憶することができる他のタイプの構成要素またはデバイスであり得る。データ記憶部３５０はまた、複数のコンピューティングデバイス（例えば、複数のサーバーコンピュータ）にも関係することができる複数の記憶構成要素（例えば、複数のドライブまたは複数のデータベース）を備えることができる。データ記憶部３０５は、場所情報３５１、計測データ３５３、および隣接データ３５５を備える。
【００４３】
場所情報３５１は、１つの以上の地理的領域およびそれらの地理的領域についての典型的な移動度状態を示すデータを含み得る。例えば、場所情報３５１は、自動車のためのハイウエイの場所を示すデータを含み得る。場所情報３５１は、ハイウエイ上のユーザーデバイスが一般的に高位の移動度状態にある可能性がある（例えば、ユーザーがハイウエイ上を運転している可能性があるので）ことを示すことができる。移動度状態モジュール３２０は、場所情報３５１に基づいて、およびセンサデバイス３４０（例えば、ＧＰＳデバイス）から受け取るセンサデータ（例えば、場所データ）に基づいて、ユーザーデバイス１２０を高位の移動度状態に移行させることができる。別の実施例では、場所データは、異なる基地局の対応領域が重畳する地理的領域を示すことができる。移動度状態モジュール３２０は、再選択が重畳する対応領域に起因し、ユーザーデバイスの移動に起因しないという事由により、これらの重畳する対応領域内のユーザーデバイスが高位の移動度状態に移行すべきでないことを決定することができる。
【００４４】
計測データ３５３は、計測パラメータに関する値、オフセットに関する値、スケーリング係数に関する値、および期間に関する値を含み得る。計測パラメータ、オフセットに関する値、スケーリング係数に関する値、および期間に関する値は、基地局からの無線信号のパワーレベルを評価するとき（図３に示すように）、再選択に関する基準が満たされたかどうかを決定するとき（図２に示すように）、または計測報告を送信するとき、ユーザーデバイス１２０によって使用され得る。計測データ３５３を、１つ以上の基地局によって送信されるＳＩＢまたは他のシステム情報に含ませることができる。隣接データ３５５は、ユーザーデバイス１２０が計測することができる隣接基地局のリストを含み得る。隣接基地局は、周波数内隣接体、周波数間隣接体、またはＲＡＴ間隣接体のうちの１つ以上であり得る。
【００４５】
図５、６、および８は、ユーザーデバイスの移動度状態を決定する方法を示すフロー図である。説明を簡単にするために、方法は、一連の動作として図示され、記載される。しかしながら、本開示による動作は、本明細書に提示されていない、そして記載されていない他の動作とともに、様々な順序でおよび／または同時に起こることができる。さらに、示された全ての動作が、開示された主題による方法を実現するために必要とされなくてもよい。また、当業者は、方法が状態図またはイベントを介して一連の相互に関連する状態として代替的に表すことができることを理解し、認識するであろう。
【００４６】
図５は、一実施形態による、ユーザーデバイスの移動度状態を決定する方法を示すフロー図である。方法５００は、ハードウエア（例えば、回路、専用ロジック、プログラマブルロジック、マイクロコード等）、ソフトウエア（例えば、ハードウエアシミュレーションを行うためにプロセッサ上で実行される命令）、またはそれらの組合せを備える処理ロジックによって行うことができる。一実施形態では、方法５００は、図１および４に示すように、サーバーデバイスによって、または移動度モジュールによって、行うことができる。
【００４７】
図５を参照すると、方法５００は、方法５００が１つ以上のセンサデバイスからセンサデータを受け取るブロック５０５から始まる。例えば、方法５００は、ＧＰＳデバイスからセンサデータを受け取ることができる（例えば、ＧＰＳ座標）。別の実施例では、方法５００は、加速度計およびコンパスからセンサデータを受け取ることができる（例えば、加速度の割合および方向）。ブロック５１０で、方法５００は、センサデータに基づいてユーザーデバイスの移動の割合を決定することができる。例えば、ＧＰＳデバイスから受け取るＧＰＳ座標に基づいて、方法５００は、ユーザーデバイスが４５ＭＰＨで移動していることを決定することができる。別の実施例では、ユーザーデバイスの減速を示すセンサデータに基づいて、方法５００は、ユーザーデバイスが移動していない（例えば、静止している）ことを決定することができる。
【００４８】
ブロック５１５で、方法は、移動の割合に基づいて、ユーザーデバイスの移動度の状態を決定する。例えば、ユーザーデバイスが４５ＭＰＨの速度で移動していないことを方法５００が以前に決定した場合、方法５００は、ユーザーデバイスが中位の移動度状態にあることを決定することができる。別の実施例では、ユーザーデバイスが減速していて、もはや移動していないことを方法５００が以前に決定した場合、方法５００は、ユーザーデバイスが通常の移動度状態にあることを決定することができる。ブロック５２０で、方法５００は、１つ以上のスケーリングされた計測パラメータを使用して複数の隣接基地局から受け取る複数の無線信号を評価する。例えば、方法５００は、オフセットＱhystを使用して隣接基地局のパワーレベル（例えば、強度またはランク）を決定することができる。方法５００は、ユーザーデバイスの移動度状態に基づいて、複数のスケーリング係数のうちの１つをＱhystに適用することができる。別の実施例では、方法５００は、期間Ｔreselectionを決定することができ、ユーザーデバイスが高位の移動度モードにあるとき、期間Ｔreselectionをスケーリングしてより短い期間を得ることができる。ブロック５２０の後、方法５００は終了する。
【００４９】
図６は、別の実施形態によって、ユーザーデバイスの移動度状態を決定する方法を示すフロー図である。方法６００は、ハードウエア（例えば、回路、専用ロジック、プログラマブルロジック、マイクロコード等）、ソフトウエア（例えば、ハードウエアシミュレーションを行うためにプロセッサ上で実行される命令）、またはそれらの組合せを備える処理ロジックによって行うことができる。一実施形態では、方法６００は、図１および４に示すように、サーバーデバイスによって、または移動度モジュールによって行うことができる。
【００５０】
図６を参照すると、方法６００は、方法６００が第１の基地局をサービング基地局として選択するブロック６０５から始まる。一実施形態では、方法６００は、ブロック６０５で、第１の基地局をサービング基地局として再選択する。ブロック６１０で、方法６００は、１つ以上のセンサデバイスからセンサデータを受け取る。例えば、方法６００は、ＧＰＳデバイスからＧＰＳ座標を受け取ることができる。ブロック６１５で、方法６００は、センサデータに基づいて、移動の割合を決定することができる。例えば、方法６００は、ＧＰＳデバイスから受け取るセンサデータに基づいて、ユーザーデバイスがある特定の速度で走行していることを決定することができる。別の実施例では、方法６００は、センサデータを使用してユーザーデバイスの場所を決定することができる。場所（例えば、ハイウエイ、商業ビル）に基づいて、方法６００は、ユーザーデバイスの移動の割合（例えば、速度または速さ）を決定することができる。
【００５１】
ブロック６２０で、方法６００は、移動の割合に基づいて、異なる移動度状態に移行する、または現在の移動度状態に留まることができる。例えば、高位の移動度状態のための再選択の回数が満たされていないが、ユーザーデバイスが高速（例えば、５５ＭＰＨ）で走行していることを移動の割合が示すという事由により、方法６００は高位の移動度状態に移行することができる。別の実施例では、ユーザーデバイスが高位の移動度状態のための再選択の回数を実行しているが、ユーザーデバイスが実際に移動していないこと、および再選択が重畳する対応領域に起因することを方法６００が決定する場合があるという事由により、方法６００が通常の移動度状態に留まる場合もある。ブロック６２５で、方法６００は、ユーザーデバイスが高位、中位、または低位の移動度状態にあるかどうかを決定する。
【００５２】
ユーザーデバイスが高位の移動度状態にある場合、方法６００はブロック６３０に進み、方法６００は、第１のスケーリングされた計測パラメータを使用して隣接基地局から受け取る無線信号のパワーレベルを評価する。例えば、方法６００は、第１のスケーリング係数を使用してパラメータＴreselectionをスケーリングすることができる。ユーザーデバイスが中位の移動度状態にある場合、方法６００はブロック６３５に進み、方法６００は、第２のスケーリングされた計測パラメータを使用して隣接基地局から受け取る無線信号のパワーレベルを評価する。例えば、方法６００は、第２のスケーリング係数を使用してパラメータＴreselectionをスケーリングすることができる。ユーザーデバイスが通常の移動度状態にある場合、方法６００はブロック６３０に進み、方法６００は、第３のスケーリングされた計測パラメータを使用して隣接基地局から受け取る無線信号のパワーレベルを評価する。例えば、方法６００は、第３のスケーリング係数を使用してパラメータＴreselectionをスケーリングすることができる。ブロック６３０、６３５、または６４０後、方法６００は、ブロック６４５で、隣接基地局のうちの１つに再選択することができる。ブロック６４５の後、方法６００は終了する。
【００５３】
図７は、一実施形態による、例示のユーザーデバイス１２０を示すブロック図である。ユーザーデバイス１２０は、図１のユーザーデバイス１０４に対応することができ、電子書籍リーダー、ＰＤＡ、携帯電話、ラップトップコンピュータ、ポータブルメディアプレーヤー、タブレットコンピュータ、スマートフォン、カメラ、ビデオカメラ、ネットブック、デスクトップコンピュータ、ゲーム機、ＤＶＤプレーヤー、コンピューティングパッド、メディアセンター、などのような任意のタイプのコンピューティングデバイスであり得る。ユーザーデバイス１２０をまた、モバイルコンピューティングデバイスと呼ぶことができる。
【００５４】
ユーザーデバイス１２０は、１つ以上のＣＰＵ、マイクロコントローラ、フィールドプログラマブルゲートアレイ、または他のタイプのプロセッサなどの１つ以上のプロセッサ７３０を備える。ユーザーデバイス１２０はまた、揮発性および／または不揮発性記憶機構の任意の組み合わせに対応することができるシステムメモリ７０６を備える。システムメモリ７０６は、読取専用メモリ（ＲＯＭ）、フラッシュメモリ、シンクロナスＤＲＡＭ（ＳＤＲＡＭ））、およびスタティックランダムアクセスメモリ（ＳＲＡＭ））などのダイナミックランダムアクセスメモリ（ＤＲＡＭ）のうちの１つ以上を備えることができる。システムメモリ７０６は、オペレーティングシステム構成要素７０８、移動度モジュール７６０などの様々なプログラムモジュール７１０、プログラムデータ７１２、および／または他の構成要素を提供する情報を記憶する。ユーザーデバイス１２０は、システムメモリ７０６によって提供される命令を実行するプロセッサ（複数可）７３０を使用することにより、機能を行う。
【００５５】
ユーザーデバイス１２０はまた、１つ以上のタイプの取り外し可能な記憶部および／または１つ以上のタイプの取り外し不能な記憶部から構成され得るデータ記憶デバイス７１４を備える。データ記憶デバイス７１４は、本明細書に記載の方法または機能のうちの任意の１つ以上を具現する１つ以上の命令セットを記憶するコンピュータ可読記憶媒体７１６を備える。図示のように、移動度モジュール７６０のための命令は、コンピュータ可読記憶媒体７１６、システムメモリ７０６内に、および／またはユーザーデバイス１２０による実行の間プロセッサ（複数可）７３０内に、全部または少なくとも一部が存在することができ、システムメモリ７０６およびプロセッサ（複数可）７３０もまた、コンピュータ可読媒体を構成する。ユーザーデバイス１２０はまた、１つ以上の入力デバイス７１８（キーボード、マウスデバイス、特化された選択キー等）と、１つ以上の出力デバイス７２０（表示器、プリンター、オーディオ出力機構等）と、を含み得る。一実施形態では、入力デバイス７１８と出力デバイス７２０とが単一のデバイス（例えば、タッチスクリーン）に組み合わされてもよい。
【００５６】
ユーザーデバイス１２０は、ユーザーデバイス１２０が無線ネットワーク（例えば、セルラー通信システムなど）を介して、遠隔コンピュータ、メディアアイテム提供システムなどのような他のコンピューティングデバイスと通信することを可能にする無線モデム７２２をさらに備える。無線モデム７２２は、ユーザーデバイス１２０が無線通信システム１１０との音声および非音声通信（テキストメッセージ、マルチメディアメッセージ、メディアダウンロード、ウェブブラウジング等のための通信など）の両方を処理することを可能にする。無線モデム７２２はまた、ユーザーデバイス１２０が他の信号伝達データを処理することを可能にし、ユーザーデバイス１２０と無線通信システム１１０との間の音声および非音声データの通信を促進することができる。無線モデム７２２は、例えば、セルラーデジタルパケットデータ（ＣＤＰＤ）、ＧＰＲＳ、ＥＤＧＥ、ユニバーサルモバイルテレコミュニケーションシステム（ＵＭＴＳ）、１倍無線伝送技術（１ｘＲＴＴ）、エボリューションデータ最適化（ＥＶＤＯ）、高速ダウンリンクパケットアクセス（ＨＳＤＰＡ）、ＷｉＦｉ、ＨＳＰＡ＋、ＷｉＭＡＸ、ロングタームエボリューション（ＬＴＥ）およびＬＴＥアドバンスト（総称して４Ｇと呼ばれる）等を含む任意のタイプのモバイルネットワーク技術を使用するネットワーク接続を提供することができる。一実施形態では、無線モデムは、コンピュータ可読記憶モデム７１６、システムメモリ７０６および／またはプロセッサ（複数可）７３０に備えられる移動度モジュール７６０に加えて、またはその代わりに、移動度モジュール７６０を備える。移動度モジュール７６０は、無線モデム７２２のハードウエア、ファームウエアおよび／またはソフトウエアとして実装され得る。モデム７２２は、様々な操作を行って音声および非音声通信の両方を処理する処理構成要素を備えることができることに留意されたい。この処理構成要素は、移動度モジュール７６０を実行することができる。あるいは、移動度モジュール７６０は、本開示の利益を有する当業者によって理解されるように、プロセッサ７３０または他のタイプの処理デバイスなどのユーザーデバイスの処理構成要素によって実行することができる。
【００５７】
無線モデム７２２は、信号を増幅し、それらの信号を増幅のための電力増幅器（ａｍｐ）７８０に送ることができ、その後、それらはアンテナ７８４またはアンテナ７８８を介して無線送信される。スイッチ７９２は、電力増幅器７８０と二つのアンテナ７８４、７８８との間に結合される。一実施形態では、スイッチ７８２はプロセッサ（複数可）７３０によって制御される。別の実施形態では、スイッチ７９２は無線モデム７２２によって制御される。アンテナ７８４，７８８は、指向性、全指向性または無指向性アンテナであり得る。データを送ることに加えて、アンテナ７８４，７８８は、無線モデム７２２に送られてプロセッサ（複数可）７３０に転送されるデータを受け取るように配備することができる。一実施形態では、アンテナ７８４、７８８は、ユーザーデバイス１２０と基地局（例えば、ノードＢまたはセルタワー）との間に通信リンクを形成するために使用することができる。
【００５８】
単一のモデム７２２がアンテナ７８４および７８８の両方への送信を制御するように示されているが、ユーザーデバイス１２０は、代わりに複数の無線モデムを備えてもよい。一実施形態では、それぞれのモデムは、独立した移動度モジュール７６０を備える。あるいは、単一の移動度モジュール（例えば、システムメモリ７０６、プロセッサ７３０および／またはデータ記憶部７１４に含まれる）が、ユーザーデバイス１２０の移動度状態を決定してもよい。また、ユーザーデバイス１２０は、２つのアンテナ７８４，７８８が示されているが、様々な実施形態において２つより多いアンテナを備えてもよい。
【００５９】
プロセッサ（複数可）７３０およびモデム７２２は、マイクロプロセッサ、中央処理ユニット、などのような汎用処理デバイスであり得る。より具体的には、プロセッサ（複数可）７３０およびモデム７２２は、複合命令セットコンピューティング（ＣＩＳＣ）マイクロプロセッサ、縮小命令セットコンピューティング（ＲＩＳＣ）マイクロプロセッサ、超長命令語（ＶＬＩＷ）マイクロプロセッサ、または他の命令セットを実装するプロセッサ、または命令セットの組合せを実装するプロセッサであり得る。プロセッサ（複数可）７３０とモデム７２２はまた、特定用途向け集積回路（ＡＳＩＣ）、フィールドプログラマブルゲートアレイ（ＦＰＧＡ）、デジタル信号プロセッサ（ＤＳＰ）、ネットワークプロセッサ、などのような１つ以上の専用処理デバイスであってもよい。
【００６０】
一実施形態では、ユーザーデバイス１２０は、光センサ７６６を備える。光センサ７６６は、定期的に画像（例えば、ユーザーの目）を撮影する低解像度のカメラ（例えば、０．２または０．７メガピクセルを有する）であってもよい。あるいは、光センサ７６６は、１メガピクセル〜１０メガピクセル以上までのようなより高い解像度を有してもよい。光センサ７６６は、ユーザーが標準の読取位置にあるユーザーの顔の前方にユーザーデバイス１２０を固定している間に、ユーザーの顔の画像を撮影するように配置することができる。したがって、光センサ７６６は、読取中のユーザーの目の動きを追跡するために使用することができる。
【００６１】
一実施形態では、ユーザーデバイス１２０は、物理的接触センサまたは近接センサなどの１つ以上のセンサ７９９を備える。センサ７９９は、ユーザーデバイスに近接する人体部分を検出し、検出に関する情報をプロセッサ（複数可）７３０に伝達することができる。一実施形態では、センサ７９９は、当技術分野で既知の様々な技術、例えば、緩和振動、電流対電圧位相シフト比較、抵抗体−キャパシタ充電タイミング、容量ブリッジ分割、電荷移動、シグマデルタ変調、または電荷蓄積、のうちの任意の１つを使用して、ユーザーデバイスに近接する人体部分によって生成されるキャパシタンスを計測するように構成された容量性センサであってもよい。代替の実施形態では、センサ７９９はまた、発光器および受光器対を使用して不透明な物体の存在を検出する光（例えば、赤外線）センサであってもよい。あるいは、センサ７９９は、誘導ループを備える誘導センサであってもよい。人体部分（または金属物体）の存在が誘導センサに近接すると、誘導ループの誘導が変化し、人体部分が検出される。あるいは、センサ７９９は、超音波信号を放射し、信号が送信される時とその信号の反射が受信される時との間の時間間隔（別名、飛行応答）を計測する超音波センサであってもよい。センサ７９９はまた、抵抗（例えば、アナログ抵抗、デジタル抵抗または残留抵抗）、表面弾性波、電磁気、近接場画像処理、または他の技術の検出原理を使用して動作するセンサなどの他のタイプのセンサを備えてもよい。一実施形態では、複数の異なるタイプのセンサを使用する。センサ７９９は、１つ以上のアンテナと検出された人体部分との間の距離を決定するために使用することができることも留意されたい。本明細書では、検出された物体が人体部分として記載されているが、使用される検出技術に応じて他のタイプの物体もまた、検出することができる。
【００６２】
一実施例では、センサ７９９のうちの１つ以上が慣性センサであり得る。センサ７９９は、ユーザーデバイス１２０の動きを検出するために使用することができる。一実施例では、センサ７９９は、直線加速度（並進運動）および角加速度（回転運動）を検出する。センサ７９９は、コンパス、加速度計および／またはジャイロスコープを含み得る。ジャイロスコープは、角運動量の原理を使用して向きの変化（例えば、ピッチ、ロール、およびねじれの変化）を検出する。加速度計は、１つ以上の軸に沿う加速度を計測する（例えば、並進運動の変化）。ジャイロスコープおよび加速度計は、別個のセンサであってもよい、または単一のセンサに組み合わせられてもよい。一実施例のセンサ７９９は、微小電気機械システム（ＭＥＭＳ）センサであってもよい。
【００６３】
プロセッサ（複数可）７３０は、プロセッサ（複数可）７３０がセンサ（複数可）７６６および／または慣性センサ７９９から受け取る信号を解釈することを可能にするセンサ回路７３５（例えば、センサデバイスドライバー）を備えることができる。一実施形態では、センサ７６６および／または慣性センサ７９９は、完全に処理された信号をプロセッサ（複数可）７３０に出力する。例えば、センサ７６６は、シングルラインインターフェースまたはマルチラインインターフェースを使用して、距離、検出された／検出されない信号等を出力することができる。同様に、慣性センサ７９９は、加速度値を出力することができる（例えば、Ｇｓで）。別の実施形態では、センサ７６６は、例えば、位置データおよび／または物体存在データ（例えば、人体部分の）を最初にそのデータを処理せずにプロセッサ７３０に出力する。同様に、慣性センサ７９９は、例えば、加速度値として解釈することができる電圧値を出力することができる。いずれの事例でも、プロセッサ７３０は、センサ回路７３５を使用し、受け取ったデータを処理する、および／または解釈することができる。データを複数のセンサ７６６および／または慣性センサ７９９から受け取る場合、データを処理することは、データを平均化すること、データから最大値を特定すること、またはそれ以外では複数のセンサからのデータを組み合わせることを含み得る。一実施形態では、センサ７６６は、センサアレイ、多数のセンサ、またはタッチパネルを備え、データを処理することは、複数のセンサの読み取りからユーザーデバイスのどこに人体部分が置かれたかを決定することを含む。
【００６４】
一実施形態では、プロセッサ７３０は、スイッチが電力増幅器７８６とアンテナ７８８との間の電気的接続を提供するかどうかを制御する。例えば、プロセッサ７３０が、１つ以上の通信リンクを再構成する、または変更するべきであることを決定すると、スイッチ７９２は、電力増幅器７８６とアンテナ７８８との間の電気的接続を終了することができる（例えば、通信リンクを終了することができる）。あるいは、またはさらに、モデム７２２がスイッチを制御してもよい。
【００６５】
図８は、さらなる実施形態による、ユーザーデバイスの移動度状態を決定する方法８００を示すフロー図である。方法８００は、ハードウエア（例えば、回路、専用ロジック、プログラマブルロジック、マイクロコード等）、ソフトウエア（例えば、ハードウエアシミュレーションを行うためにプロセッサ上で実行される命令）、またはそれらの組合せを備える処理ロジックによって行うことができる。一実施形態では、方法８００は、図１および図４に示すように、サーバーデバイスによって、または移動度モジュールによって行うことができる。
【００６６】
図８を参照すると、方法８００は、方法８００が１つ以上のセンサデバイスからセンサデータを受け取るブロック８０５から始まる。例えば、方法８００は、ＧＰＳデバイスからＧＰＳ座標を受け取ることができる。ブロック８１０で、方法は、移動データを計算することができる（例えば、ユーザーデバイスが如何に移動したか、または現在移動しているかを示すデータ）。例えば、方法８００は、ユーザーデバイスが直前の５秒間に左方に向かって５０メートル移動したことを示す移動データを計算することができる。別の実施例では、方法８００は、センサデータを使用してユーザーデバイスの場所を決定することができる。場所（例えば、ハイウエイ、商業ビル）に基づいて、方法８００は、ユーザーデバイスの移動の割合（例えば、速度または速さ）を決定することができる。ブロック８１５で、方法８００は、移動データに基づいてユーザーデバイスの移動の割合を決定することができる。例えば、方法８００は、ユーザーデバイスが６０ＭＰＨの割合で北東に移動していることを決定することができる。
【００６７】
ブロック８２５で、方法８００は、ユーザーデバイスの移動度状態を決定する。例えば、方法８００は、ユーザーデバイスが高位の移動度状態、中位の移動度状態、または通常の移動度状態にあるかどうかを決定することができる。ブロック８３０で、ユーザーデバイスは、１つ以上の隣接基地局の信号強度（例えば、１つ以上の隣接基地局から受け取る無線信号の強度）と、ユーザーデバイスが現在選択している（例えば、キャンプオンした）サービングまたは現在の基地局の信号強度と、を決定することができる。一実施形態では、方法８００は、隣接基地局および現在の基地局からの信号強度にスケーリング係数を適用することができる。スケーリング係数は、ブロック８２５で決定された移動度状態に基づくことができる。ブロック８３５で、方法８００は、隣接基地局の信号強度が現在の基地局の信号強度よりもある期間にわたって大きいとき、隣接基地局に再選択する。一実施形態では、スケーリング係数はまた、その期間にも適用することができる。その期間に適用されるスケーリング係数もまた、ブロック８２５で決定された移動度状態に基づくことができる。したがって、その期間は、その期間に適用されるスケーリング係数によって移動度状態に基づくことができる。ブロック８３５の後、方法８００は終了する。
【００６８】
上記の説明には、多くの詳細が記載されている。しかしながら、本開示の実施形態がそれらの特定の詳細がなくても実施され得ることは、本開示の利益を有する当業者には明らかであろう。いくつかの事例では、説明を曖昧にすることを回避するために、既知の構造及びデバイスは、詳細にではなく、ブロック図の形式で示されている。
【００６９】
詳細な説明の一部は、コンピュータメモリ内のデータビットに対する操作のアルゴリズムおよび記号表現によって提示されている。これらのアルゴリズムの説明および表現は、仕事の要旨を他の当業者に最も効果的に伝達するためにデータ処理分野の当業者によって使用される手段である。アルゴリズムは、本明細書でおよび一般的に、所望の結果をもたらすステップの首尾一貫したシーケンスであると考えられる。それらのステップは、物理量の物理的操作を必要とするものである。通常、必ずということではないが、それらの量は、保存する、転送する、組み合わせる、比較する、およびそれ以外に操作することができる電気的または磁気的信号の形態をとる。それらの信号をビット、値、要素、シンボル、文字、用語、数字などと呼ぶことが、共通の使用という主な理由から、時には便利であることが証明されている。
【００７０】
しかしながら、これらおよび類似の用語の全ては、適当な物理量に関連付けられ、単にそれらの量に適用される便利なラベルであることに留意されたい。上記の説明から明らかなように別段の記載がない限り、記載全体にわたって、「選択する」、「受け取る」、「決定する」、「移行する」、「評価する」、「再選択する」、「適用する」、「計測する」、「留まる」、「特定する」などのような用語を使用する考察は、コンピュータシステムのレジスタおよびメモリ内の物理的（例えば、電子）量として表されるデータを、コンピュータシステムのメモリまたはレジスタまたは他のそのような情報記憶、送信または表示デバイス内の物理量として同様に表される他のデータに、処理して変換するコンピュータシステムまたは類似の電子コンピューティングデバイスの動作およびプロセスを指すことを理解されたい。
【００７１】
本開示の実施形態はまた、本明細書内の操作を行うための装置に関する。この装置は、必要な目的のために特別に構築することができる、またはコンピュータに記憶されたコンピュータプログラムによって選択的に有効となる、または再構成される汎用コンピュータを備えてもよい。そのようなコンピュータプログラムは、限定されないが、フロッピー(登録商標)ディスク、光ディスク、ＣＤＲＯＭ、および磁気光ディスクを含む任意のタイプのディスク、読取専用メモリ（ＲＯＭ）、ランダムアクセスメモリ（ＲＡＭ）、ＥＰＲＯＭ、ＥＥＰＲＯＭ、磁気または光カード、フラッシュメモリ、または電子的命令を記憶するために適する任意のタイプの媒体などの非一時的コンピュータ可読記憶媒体に記憶することができる。
【００７２】
本明細書では、「実施例」または「例示」という単語は、実施例、事例、または例として働くことを意味するように使用される。「実施例」または「例示」として本明細書に記載された任意の態様または設計は、他の態様または設計に対して、必ずしも好ましくまたは有利に構築されると解釈されるべきではない。むしろ、「実施例」または「例示」という単語の使用は、概念を具体的に提示することを意図している。本出願で使用されているように、「または」という用語は、排他的な「または」ではなく、包括的な「または」を意味することを意図している。すなわち、別段の指定がない、または文脈から明らかでない限り、「ＸがＡまたはＢを含む」は自然な包括的順列のうちのいずれをも意味することを意図している。すなわち、ＸがＡを含む、ＸがＢを含む、またはＸがＡおよびＢの両方を含む場合、「ＸがＡまたはＢを含む」は前述の事例のうちのいずれにおいても満たされる。さらに、本出願および添付の特許請求の範囲で使用される冠詞「ａ」および「ａｎ」は、単数形に指示されるような別段の指定がない、または文脈から明らかでない限り、「１つ以上」を意味することを一般的に解釈されるべきである。さらに、全体にわたって「実施形態」または「一実施形態」または「実装形態」または「一実装形態」という用語の使用は、そのように説明されない限り、同じ実施形態または実装形態を意味することを意図していない。さらに、本明細書で使用されている「第１」、「第２」、「第３」、「第４」等という用語は、異なる要素を区別するためのラベルを意味し、必ずしもそれらの数値の指定にしたがう順序の意味があるわけではない。
【００７３】
本明細書で提示されるアルゴリズムおよび表示は、本質的に任意の特定のコンピュータまたは他の装置に関連しない。様々な汎用システムが、本明細書の教示によるプログラムとともに使用することができる、または必要な方法のステップを行うためにより特化した装置を構築することが便利であり得る。様々なこれらのシステムに必要な構造は、以下の説明から明らかになるであろう。さらに、本開示は、任意の特定のプログラミング言語に関して説明されていない。本明細書に記載の本開示の教示を実現するために、様々なプログラミング言語を使用できることを理解されたい。
【００７４】
上記の説明は、本開示のいくつかの実施形態の十分な理解を提供するために、特定のシステム、構成要素、方法等の実施例などの多くの特定の詳細を示す。しかしながら、本開示の少なくともいくつかの実施形態は、これらの特定の詳細がなくても実施され得ることは、当業者には明らかであろう。他の事例では、周知の構成要素または方法は、本開示を不必要に曖昧にしないために、詳細には説明しない、または単純なブロック図の形式で提示される。したがって、上記の特定の詳細は、単なる実施例である。特定の実装形態は、これらの実施例の詳細と異なる場合もあるが、依然として本開示の範囲内であることが企図される。
【００７５】
上記の説明は、限定的ではなく例証であることを意図することを理解されたい。上記の説明を読み取って理解することにより、多くの他の実施形態が当業者には明らかであろう。したがって、本開示の範囲は、そのような請求項が権利を有する均等物の全範囲とともに、添付の特許請求の範囲を参照して決定されるべきである。
付記
１．
モバイルコンピューティングデバイスによって、全地球測位システムデバイスから場所データを受け取ることと、
前記モバイルコンピューティングデバイスによって、前記場所データに少なくとも部分的に基づいて、移動データを計算することと、
前記モバイルコンピューティングデバイスによって、前記移動データに少なくとも部分的に基づいて、前記モバイルコンピューティングデバイスの移動の割合を決定することと、
前記移動の割合に少なくとも部分的に基づいて、前記モバイルコンピューティングデバイスの移動度状態を決定することと、
隣接基地局の第１の信号強度を、現在の基地局の第２の信号強度と比較して決定することと、
前記第１の信号強度がある期間にわたって前記第２の信号強度よりも大きいとき、前記隣接基地局に再選択することと、を含み、前記ある期間が前記移動度状態に基づく、方法。
２．前記モバイルコンピューティングデバイスが、前記モバイルコンピューティングデバイスによって行われる再選択の回数に関係なく、前記移動度状態を決定する、付記１に記載の方法。
３．前記隣接基地局の前記第１の信号強度を前記現在の基地局の前記第２の信号強度と比較して決定することが、
前記第１の信号強度に第１のスケーリング係数を適用し、前記第２の信号強度に第２のスケーリング係数を適用することを含み、前記第１のスケーリング係数および第２のスケーリング係数が前記移動度状態に少なくとも部分的に基づく、付記１に記載の方法。
４．前記移動度状態が前記モバイルコンピューティングデバイスの前記移動の割合を示し、前記移動度状態が再選択の回数に関連付けられる、付記１に記載の方法。
５．前記移動度状態が、
高位の移動度状態、
中位の移動度状態、または
通常の移動度状態、のうちの１つを含む、付記１に記載の方法。
６．モバイルコンピューティングデバイスであって、
センサデータを集めるセンサデバイスと、
前記センサデバイスに結合されたプロセッサと、を備え、前記プロセッサが、
前記センサデバイスから前記センサデータを受け取り、
前記センサデータに少なくとも部分的に基づいて、前記モバイルコンピューティングデバイスの移動の割合を決定し、
前記移動の割合に基づいて、前記モバイルコンピューティングデバイスの移動度状態を決定する、モバイルコンピューティングデバイス。
７．前記プロセッサがさらに、
前記モバイルコンピューティングデバイスによって行われる再選択の回数と関係なく、前記移動度状態に移行する、または前記移動度状態に留まる、付記６に記載のモバイルコンピューティングデバイス。
８．前記プロセッサがさらに、
隣接基地局の第１の信号強度を現在の基地局の第２の信号強度と比較して決定する、付記６に記載のモバイルコンピューティングデバイス。
９．前記プロセッサがさらに、
前記第１の信号強度が前記第２の信号強度よりもある期間にわたって大きいとき、前記隣接基地局に再選択し、前記ある期間が前記移動度状態に基づく、付記８に記載のモバイルコンピューティングデバイス。
１０．前記プロセッサが、
前記第１の信号強度に第１のスケーリング係数を適用し、前記第２の信号強度に第２のスケーリング係数を適用することによって、前記隣接基地局の前記第１の信号強度を前記現在の基地局の前記第２の信号強度と比較して決定し、前記第１のスケーリング係数および第２のスケーリング係数が移動度状態に少なくとも部分的に基づく、付記８に記載のモバイルコンピューティングデバイス。
１１．前記プロセッサが、
前記センサデータに少なくとも部分的に基づいて、移動データを計算することと、
前記移動データに少なくとも部分的に基づいて、前記モバイルコンピューティングデバイスの移動の割合を決定することと、によって前記モバイルコンピューティングデバイスの移動の割合を決定する、付記６に記載のモバイルコンピューティングデバイス。
１２．前記移動度状態が、
高位の移動度状態、
中位の移動度状態、または、
通常の移動度状態、のうちの１つを含む、付記６に記載のモバイルコンピューティングデバイス。
１３．前記センサデバイスが、全地球測位システムデバイス、ジャイロスコープ、加速度計、コンパス、カメラ、または気圧計のうちの１つ以上を備える、付記６に記載のモバイルコンピューティングデバイス。
１４．前記プロセッサが、
前記センサデータに基づいてモバイルコンピューティングデバイスの物理的場所を決定することと、
前記モバイルコンピューティングデバイスの前記物理的場所に基づいて、前記移動の割合を決定することと、によって前記モバイルコンピューティングデバイスの前記移動の割合を決定する、付記６に記載のモバイルコンピューティングデバイス。
１５．命令を記憶する非一時的コンピュータ可読記憶媒体であって、前記命令が実行されると、プロセッサに、
センサデバイスから受け取るセンサデータに少なくとも部分的に基づいて、モバイルコンピューティングデバイスの移動の割合を決定することと、
前記移動の割合に基づいて、前記モバイルコンピューティングデバイスの移動度状態を決定することと、
隣接基地局の第１の信号強度を、現在の基地局の第２の信号強度と比較して決定することと、を含む操作を行わせる、非一時的コンピュータ可読記憶媒体。
１６．前記操作が、
前記モバイルコンピューティングデバイスによって行われる再選択の回数に関係なく、前記移動度状態に移行することをさらに含む、付記１５に記載の非一時的コンピュータ可読記憶媒体。
１７．前記操作が、
前記モバイルコンピューティングデバイスによって行われる再選択の回数に関係なく、前記移動度状態に留まることをさらに含む、付記１５に記載の非一時的コンピュータ可読記憶媒体。
１８．前記操作が、
前記第１の信号強度がある期間にわたって前記第２の信号強度よりも大きいとき、前記隣接基地局に再選択することをさらに含み、前記ある期間が前記移動度状態に基づく、付記１５に記載の非一時的コンピュータ可読記憶媒体。
１９．前記隣接基地局の前記第１の信号強度を前記現在の基地局の前記第２の信号強度と比較して決定することが、
前記第１の信号強度に第１のスケーリング係数を適用し、前記第２の信号強度に第２のスケーリング係数を適用することを含み、前記第１のスケーリング係数および第２のスケーリング係数が前記移動度状態に少なくとも部分的に基づく、付記１５に記載の非一時的コンピュータ可読記憶媒体。
２０．前記モバイルコンピューティングデバイスの前記移動の割合を決定することが、
前記センサデータに少なくとも部分的に基づいて、移動データを計算することと、
前記移動データに少なくとも部分的に基づいて、前記モバイルコンピューティングデバイスの前記移動の割合を決定することと、を含む、付記１５に記載の非一時的コンピュータ可読記憶媒体。
２１．前記移動度状態が、
高位の移動度状態、
中位の移動度状態、または、
通常の移動度状態のうちの１つを含む、付記１５に記載の非一時的コンピュータ可読記憶媒体。
２２．前記センサデバイスが、全地球測位システムデバイス、ジャイロスコープ、加速度計、コンパス、カメラ、または気圧計のうちの１つ以上を備える、付記１５に記載の非一時的コンピュータ可読記憶媒体。
２３．前記移動の割合を決定することが、
前記センサデータに基づいて、前記モバイルコンピューティングデバイスの物理的場所を決定することと、
前記モバイルコンピューティングデバイスの前記物理的場所のうちの１つ以上に基づいて、前記移動の割合を決定することと、を含む、付記１５に記載の非一時的コンピュータ可読記憶媒体。
【図１】
2016501500.tif 000003
【図２】
2016501500.tif 000004
【図３】
2016501500.tif 000005
【図４】
2016501500.tif 000006
【図５】
2016501500.tif 000007
【誤訳訂正書】
【提出日】平成27年9月8日(2015.9.8)
【誤訳訂正１】
【訂正対象書類名】図面
【訂正対象項目名】全図
【訂正方法】変更
【訂正の内容】
【図１】
2016501500.tif 000008
【図２】
2016501500.tif 000009
【図３】
2016501500.tif 000010
【図４】
2016501500.tif 000011
【図５】
2016501500.tif 000012
【図６】
2016501500.tif 000013
【図７】
2016501500.tif 000014
【図８】
2016501500.tif 000015
【国際調査報告】
2016501500.tif 000016
2016501500.tif 000017
2016501500.tif 000018
2016501500.tif 000019
2016501500.tif 000020
2016501500.tif 000021